(57)【要約】【課題】バッテリに対する接続時や取り外しの操作時において、鰐口クリップの絶縁キャップが外れ難く、かつ、操作性の良い電動リール用の給電コードを提供する。【解決手段】電動リール１とバッテリとの間を接続し、バッテリからの電力を供給する電動リール用の給電コード１０において、給電コード１０の一端側には、柔軟性のある絶縁キャップ５０で覆われる一対の挟持片１６，１７を備えた鰐口クリップ１５が設けられ、絶縁キャップ５０の基端側と係合して、絶縁キャップ５０が挟持片１６，１７から抜けることを防止する抜け止め部３０を設けたことを特徴とする。【選択図】  図１
2017216911.tif 000002
【特許請求の範囲】
【請求項１】
電動リールとバッテリとの間を接続し、前記バッテリからの電力を供給する電動リール用の給電コードにおいて、
前記給電コードの一端側には、柔軟性のある絶縁キャップで覆われる一対の挟持片を備えた鰐口クリップが設けられ、
前記絶縁キャップの基端側と係合して、前記絶縁キャップが挟持片から抜けることを防止する抜け止め部を設けたことを特徴とする電動リール用の給電コード。
【請求項２】
前記抜け止め部は、前記給電コードのリード線を被覆するとともに、前記リード線内の導電線を前記挟持片に接続する接続部材に突出するように設けられ、前記絶縁キャップの基端縁開口が当て付く突起であることを特徴とする請求項１に記載の電動リール用の給電コード。
【請求項３】
前記抜け止め部は、前記給電コードのリード線に嵌合されて前記絶縁キャップの基端縁開口が当て付く嵌合部材であることを特徴とする請求項１に記載の電動リール用の給電コード。
【請求項４】
前記抜け止め部は、前記絶縁キャップの基端側を外側から締め付ける締結部材であることを特徴とする請求項１に記載の電動リール用の給電コード。
【請求項５】
前記抜け止め部は、前記給電コードのリード線又は前記給電コードのリード線を被覆するとともに、前記リード線内の導電線を前記挟持片に接続する接続部材と、前記絶縁キャップの基端側の内面との間に設けられる接着剤であることを特徴とする請求項１に記載の電動リール用の給電コード。
【発明の詳細な説明】
【技術分野】
【０００１】
本発明は、電動リール用の給電コードに関し、詳細には、鰐口クリップに装着される絶縁キャップの抜け止め構造に特徴を備えた電動リール用の給電コードに関する。
【背景技術】
【０００２】
従来、船釣りに用いられる電動リールには、リール本体と外部バッテリとの間を接続する給電コードが用いられる。前記給電コードの一端には、コネクタが設けられており、その他端には、＋端子用、−単子用の鰐口クリップが設けられている。そして、コネクタをリール本体に設けられたレセプタクルに差し込んで固定装着し、鰐口クリップをバッテリの＋端子、及び−端子に接続することでリール本体には給電が成される。
【０００３】
上記した給電コードの鰐口クリップの本体（一対の挟持片）には、例えば、特許文献１に開示されているように、略円錐形状の柔軟な絶縁キャップ（保護カバー）が装着されている。このため、鰐口クリップをバッテリの端子に接続するに際しては、絶縁キャップを指で挟むように摘まみ、一対の挟持片を付勢バネの付勢力に抗して押し付けることで端部のクリップ部分を開き、その開いた状態のクリップ部分で端子を挟んで押圧力を解除する操作が行われる。
【０００４】
上記したような絶縁キャップは、柔軟性を有することから、挟持片を摘まんで押し広げてそれを解除する操作をすると、後方側に抜け易い（給電コードのリード線に沿ってリール本体側に抜け易い）という問題が生じる。特に、鰐口クリップをバッテリの端子に接続した状態にすると、一対の挟持片の先側が閉じた状態となることからその部分の径が小さくなり、より後方側に抜け易くなる。絶縁キャップが後方側に抜けると、鰐口クリップの挟持片が露出してしまい、感電やショート等の問題が発生し易くなってしまう。
そこで、絶縁キャップを硬度の高い材料で形成して挟持片との密着性を高めたり、その先端の開口形状を矩形状にして、挟持片からクリップ部分に移行する傾斜部（屈曲部）に対し密着するようにして絶縁キャップの抜け止めを図ることが行われている。
【先行技術文献】
【特許文献】
【０００５】
【特許文献１】特開２００４−１２７７９２号
【発明の概要】
【発明が解決しようとする課題】
【０００６】
上記したように、絶縁キャップを高硬度材料で形成したり、その先端開口を矩形状にして傾斜部と密着性を高めることで絶縁キャップの挟持片から抜けを防止することができるが、このような構成では、バッテリの接続時に挟持片を摘まんで鰐口クリップ部分を開くには、絶縁キャップも大きく変形させる必要があり、大きな操作力が必要となる。特に、温度が低い状況では、絶縁キャップも変形し難くなり、バッテリ接続時や取り外し時における操作性が悪く、製品の使い難さに直結する。
【０００７】
本発明は、上記した問題に基づいて成されたものであり、バッテリに対する接続時や取り外しの操作時において、鰐口クリップの絶縁キャップが外れ難く、かつ、操作性の良い電動リール用の給電コードを提供することを目的とする。
【課題を解決するための手段】
【０００８】
上記した課題を解決するために、本発明に係る電動リール用の給電コードは、電動リールとバッテリとの間を接続し、前記バッテリからの電力を供給する構成において、前記給電コードの一端側には、柔軟性のある絶縁キャップで覆われる一対の挟持片を備えた鰐口クリップが設けられ、前記絶縁キャップの基端側と係合して、前記絶縁キャップが挟持片から抜けることを防止する抜け止め部を設けたことを特徴とする。
【０００９】
上記した構成の給電コードによれば、鰐口クリップの挟持片を絶縁キャップ上から操作しても、絶縁キャップは抜け止め部によってその位置が保持されて挟持片から抜けることがないため、硬度が低い材料で形成された絶縁キャップや、一般的な両端が開口した略円錐形状の絶縁キャップを用いることができ、バッテリの端子に接続する際、挟持片を開く際に大きな操作力が必要とされず操作性の向上が図れる。
【００１０】
なお、上記した構成の抜け止め部は、給電コード（リード線）と一体的に設けられる部材であっても良いし、別体として設けられる部材であっても良い。
【発明の効果】
【００１１】
本発明によれば、バッテリに対する接続時や取り外しの操作時において、鰐口クリップの絶縁キャップが外れ難く、かつ、操作性の良い電動リール用の給電コードが得られる。
【図面の簡単な説明】
【００１２】
【図１】本発明に係る電動リール用の給電コードの第１の実施形態を示す図であり、電動リールに装着した状態を示す図。
【図２】＋端子、−端子の鰐口クリップ部分の構成を示す図であり、左側の鰐口クリップは平面部分断面図、右側の鰐口クリップは側面部分断面図。
【図３】鰐口クリップに被着された絶縁キャップの基端側に設けられた抜け止め部の構成を示す部分断面図。
【図４】抜け止め部の第２の実施形態を示す図。
【図５】抜け止め部の第３の実施形態を示す図。
【発明を実施するための形態】
【００１３】
図１から図３は、本発明に係る電動リール用の給電コード（以下、給電コードとする）の第１の実施形態を示す図である。
【００１４】
本発明の給電コード１０は、電動リール１のリール本体１Ａの一方の側板の下側に設けられたレセプタクル２と、図示されていないバッテリとの間を接続し、前記バッテリからの電力を電動リール側に供給する際に用いられる。
【００１５】
前記給電コード１０は、その一端側に、＋端子用と−単子用に分岐されたリード線１２，１２を介して鰐口クリップ１５，１５が設けられており、他端側に、前記レセプタクル２に差し込んで固定されるコネクタ１３が設けられている。前記鰐口クリップ１５には、公知のように絶縁キャップ５０が被着されている。
【００１６】
以下、分岐されたリード線１２，１２に設けられる鰐口クリップ１５，１５の構成について説明する。
なお、鰐口クリップは、＋端子用と−単子用の２つを備えた構成となっているが、両方とも同一な構成であるため、両方の鰐口クリップには同一の参照符号が付されている。また、図面では、鰐口クリップの構成が分かり易いように、一方を平面部分断面図、他方を側面部分断面図としてある。
【００１７】
前記鰐口クリップ１５は、可動する一対の挟持片１６，１７を備えている。挟持片は、略同一の構成となっており、板状の部材を所定の形状に屈曲させて、その間にバネ１８を介在した構成となっている。具体的には、各挟持片１６，１７の基端部（固定部）１６ａ，１７ａは、互いに交差するように係合されており、それぞれの先側が互いに回動できるように支持されている。両基端部には、リード線１２内の導電線（図示せず）と接続された連結部１２ａがビス１９を介して固定されており、挟持片とリード線を電気的に接続している。
【００１８】
各挟持片１６，１７は、前記基端部１６ａ，１７ａの先側が互いに交差するように外側に屈曲されて延出する押圧操作部１６ｂ，１７ｂを備えており、各押圧操作部１６ｂ，１７ｂの先端側は、再び交差するように内側に屈曲されている。そして、屈曲して交差する屈曲部１６ｃ，１７ｃの先端側の内面には、図示されていないバッテリの端子と係合する凹凸歯１６ｄ，１７ｄが設けられている。この場合、各挟持片が交差できるように、一方の挟持片の屈曲部１６ｃには、開口１６ｃ´が形成されており、他方の挟持片１７の屈曲部１７ｃを挿通させている。前記バネ１８は、押圧操作部１６ｂ，１７ｂの両内面間に設けられており、バネ１８の付勢力に抗して押圧操作部１６ｂ，１７ｂを挟みつけるように押し付け操作すると、屈曲部１６ｃ，１７ｃの先端が開いて端子と係合可能となる。この状態で押圧操作部１６ｂ，１７ｂの押圧を解除すると、バネ１８の付勢力により、各屈曲部の先端に設けられた凹凸歯１６ｄ，１７ｄが端子と接続される。
【００１９】
前記連結部１２ａは、前記リード線内の導電線（図示せず）を挟持片に接続する接続部材２０を構成する。
接続部材２０は、前記挟持片１６の基端部に設けられた一対の挟持爪２２によって挟み込まれ、前記リード線１２を被覆すると共に樹脂等の絶縁性材料で形成されたカバー部材２３を備えており、カバー部材２３に覆われたリード線１２の端部から導電線が露出し、その露出した部分が前記連結部１２ａと接続（一体化）される。そして、この連結部１２ａは、上記のようにビス１９を介して鰐口クリップの挟持片１６，１７と連結される。
【００２０】
前記絶縁キャップ５０は、一般的に公知なように、柔軟性及び絶縁性有する素材で形成されており、鰐口クリップの挟持片１６，１７を覆い、更に、その後端側の接続部材２０（カバー部材２３）を覆うように形成されている。この場合、前記接続部材２０は、挟持片の径方向の膨出量に対してその径が細くなっており、その先側の挟持片１６，１７は、外側に向けて広がる形状を有し、更に、各屈曲部１６ｃ，１７ｃが内側に向けて屈曲する形状となっている。従って、絶縁キャップ５０は、このような鰐口クリップに被着できるように、両端が開口するとともに、基端側から先端側に向けて次第に膨出し、その先端側が前記屈曲部１６ｃ，１７ｃに係止可能なように先が縮径する形状に加工されている。
【００２１】
すなわち、絶縁キャップ５０は、全体として筒状の略円錐形状に形成されており、基端縁開口５０ａから先端側に膨出する膨出部５０ｂ、前記挟持片１６，１７の屈曲部１６ｃ，１７ｃと係合して係止可能となるように先端縁開口５０ｄに向けて縮径する縮径部５０ｃを備えている。このような絶縁キャップ５０を鰐口クリップ部分に装着すると、前記基端縁開口５０ａから接続部材２０の一部が突出し、かつ、先端側開口５０ｄから屈曲部１６ｃ，１７ｃの先端の凹凸歯１６ｄ，１７ｄの部分が露出する。
【００２２】
上記した絶縁キャップ５０は、挟持片１６，１７の押圧操作時に負荷を与えない程度に柔軟性を有する公知のものを用いることが可能である。この場合、本発明では、絶縁キャップ５０の基端側と係合して、絶縁キャップが挟持片１６，１７から抜けることを防止する抜け止め部３０が設けられている。
このような抜け止め部３０は、絶縁キャップ５０が挟持片１６，１７の押圧操作に支障を与えることなく、かつ、その後方側への抜けを防止して、挟持片１６，１７の露出を防ぎ、感電やショート等の問題を生じさせない機能を果たす。
【００２３】
本実施形態の抜け止め部３０は、前記接続部材２０（カバー部材２３）の後端側において、その外周面から突出するように設けられ、絶縁キャップ５０の基端縁開口５０ａが当て付く突起３２によって構成されている。
この突起３２は、基端縁開口５０ａの開口径よりも大径となるように形成されており、カバー部材２３の外周面に３６０°に亘って突出形成されている。この場合、突起３２の径は、絶縁キャップの基端縁開口が弾性変形して絶縁キャップ内を挿通できる程度に形成されていればよく、具体的には、鰐口クリップの製造時に絶縁キャップの装着作業がし易く、絶縁キャップをリード線１２側から前方に移動させてカバー部材２３側に移動させた際に、突起や基端縁開口が破損等することのない関係となっていればよい。
【００２４】
このような突起３２を設けることで、前記挟持片１６，１７を操作しても、その操作によって絶縁キャップ５０が後方側に抜けることが防止できると共に、従来のように絶縁キャップを柔軟な材料で構成できるので、その操作性が悪化するようなことはない。また、バッテリの端子に接続した状態（鰐口クリップが開いた状態）では、一対の挟持片の先側の径が先端縁開口５０ｄの径より小さくなることもあり得るが、このような状態でも絶縁キャップが後方に抜けることはない。なお、本実施形態の突起３２は、３６０°に亘って環状に形成されているが、周方向に間隔をおいて形成されていてもよい。
【００２５】
図４は、抜け止め部３０の第２の実施形態を示す図である。
この実施形態では、抜け止め部は、給電コード（リード線）とは別の部材で構成されており、リード線１２に対して軸方向から圧入するように嵌合されて、絶縁キャップ５０の基端縁開口５０ａが当て付く嵌合部材３４として構成されている。
【００２６】
このような構成でも上記した実施形態と同様な作用効果が得られると共に、通常の接続部材２０の後端部分に突起を形成するといった加工をする必要がなく、汎用性を高めることができる。
なお、嵌合部材３４の材料については特に限定することはなく、例えば、弾性を有するゴム、金属や樹脂等の硬質材を用いることが可能である。また、嵌合部材３４は、半割れ状でリード線に嵌合する構成であってもよいし、クリップ状の部材で挟持するような構成であってもよい。
【００２７】
また、嵌合部材３４の代わりに、接着剤を用いてもよい。すなわち、絶縁キャップ５０の基端側の内面とリード線１２の外周面との間、或いは、絶縁キャップ５０の基端側の内面と保護部材２０（カバー部材２３）の外周面との間に接着剤を設け、両者を固定するような構成であってもよい。
このような構成においても、上記した嵌合部材と同様な作用効果が得られる。
【００２８】
図５は、抜け止め部の第３の実施形態を示す図である。
この実施形態の抜け止め部３０は、絶縁キャップ５０の基端側を外側から締め付けてリード線に係止する締結部材３６としている。締結部材３６は、例えば、締結バンドによって構成することが可能であり、絶縁キャップ５０の基端側をリード線の外周面に係止してもよいし、保護部材２０（カバー部材２３）の外種面に係止するものであってもよい。また、締結部材３６については、絶縁キャップ５０の抜け止めを防止するように締め付けるものであればよく、例えば、金属材のカシメ構造であってもよい。
【００２９】
このような構成においても上記した実施形態と同様な作用効果が得られるとともに、抜け止め部の取り付けがより容易に行えるようになる。
【００３０】
以上、本発明の実施形態について説明したが、本発明は、絶縁キャップの基端側と係合して絶縁キャップの後方側への抜けを防止する抜け止め部に特徴を有しており、それ以外の構成については上記した実施形態に限定されることはない。例えば、接続部材の構成、鰐口クリップ（挟持片）の構成等、種々変形することが可能である。
【符号の説明】
【００３１】
１  電動リール
１０  給電コード
１２  リード線
１５  鰐口クリップ
１６，１７  挟持片
１８  バネ
３０  抜け止め部
５０  絶縁キャップ
【図１】
2017216911.tif 000003
【図２】
2017216911.tif 000004
【図３】
2017216911.tif 000005
【図４】
2017216911.tif 000006
【図５】
2017216911.tif 000007